(57)【特許請求の範囲】
【請求項１】
外枠と、該外枠の前面に開閉可能に支持される前枠と、該前枠を外枠に施錠するための施錠装置と、を備え、
さらに前記施錠装置が、前枠に固定される支持体と、該支持体の上端部と下端部とに各々傾動可能に支持され外枠に設けられた係合部に係合する鉤部材と、前記支持体に支持され解錠操作によって前記係合部と鉤部材の前記係合を解除するための錠部材と、前記支持体に支持され前記錠部材の解錠操作を鉤部材に伝達するための作動体と、
を有するものである遊技機において、
前記施錠装置は、
前記支持体に揺動可能に支持され、前記作動体の解錠方向への移動を妨げる規制位置と、作動体の解錠方向への移動を妨げない規制解除位置とに変位可能であり、さらに規制解除位置に向けて付勢されたロック体と、
前記ロック体に揺動可能に支持され、自由端側に形成した当接片が外枠側に向かって跳ね出すように付勢された当接体と、
前記錠部材に設けられ前記鉤部材を解錠する操作によって規制位置にあるロック体を規制解除位置に変位させ得る摺動部材と、を備え、
前記ロック体は、前枠の閉止方向の回転に伴い跳ね出た前記当接片が外枠に当たって押圧される力を受けて規制位置に変位し、且つ、規制位置にある状態で外枠との間に規制解除位置に変位し得る隙間が形成されるようになし、さらに前記錠部材の解錠操作に伴う前記摺動部材の作動で規制解除位置に変位するものであることを特徴とする遊技機。
【発明の詳細な説明】
【０００１】
【発明の属する技術分野】
本発明は、前枠を外枠に施錠するための施錠装置を備えたパチンコ遊技機等の遊技機に関する。
【０００２】
【従来の技術】
従来より、遊技機の一種であるパチンコ遊技機は、その外郭が縦長四角枠状をなす外枠と、外枠に開閉可能に支持される前枠と、前枠の内側に保持される遊技盤とから構成されている。また、前枠の前面には、四角板状をなすガラス扉が開閉可能に支持され、パチンコ遊技機前面から遊技盤が視認可能となっている。そして、前枠には施錠装置が装着され、外枠に対して前枠を施錠できるようになっている。
【０００３】
この種の遊技機における施錠装置は、縦長筒状の支持体に縦長四角板状の作動板が上下移動可能に設けられるとともに、支持体の上下端には一対の鉤部材が設けられたものが知られている。これらの鉤部材は支持体の上下動によって、外枠に設けられた一対の係合部材と係脱可能に構成されている。そして、鉤部材が係合部材に係合することによって前枠が外枠に対して施錠できるようになっている。また、作動板は鉤部材が係合部材と係合する方向に付勢されており、鉤部材と係合部材の係合状態は維持されるようになっている。
【０００４】
一方、支持体には、錠部材が設けられ、錠部材の回転操作が伝達板を介して前記鉤部材に伝達され、伝達板は鉤部材が係合部材から離脱する方向に移動されるようになっている。このように、シリンダ錠の回転操作によって、鉤部材を係合部材から離脱させることによって前枠の解錠操作ができるようになっている。
【０００５】
パチンコ遊技機は、遊技店等における枠台等に設置され、島設備を構成する。この状態において、パチンコ遊技機の上方、側面等に存在する隙間から針金等の不正部材、手等で鉤部材を操作する行為によって、前枠が不正に解錠される可能性がある。そして、遊技盤に搭載されたプリント基板等の遊技構成部材に対して不正行為が行われる可能性がある。
【０００６】
このような不正行為を防止する対策として、鉤部材周辺の前枠には障壁等の不正防止部材が設けられることが多い。つまり、不正防止部材によって鉤部材の操作を妨害し、前枠が不正に解錠されることを抑制している。
【０００７】
【発明が解決しようとする課題】
ところが、上記従来の技術では、施錠装置自体には、不正に解錠される可能性があるという問題があった。
【０００８】
本発明は上記従来技術に存在する問題点に着目してなされたものである。本発明の目的は、不正行為を抑制することができる遊技機における施錠装置を提供することにある。
【０００９】
【課題を解決するための手段】
外枠と、該外枠の前面に開閉可能に支持される前枠と、該前枠を外枠に施錠するための施錠装置と、を備え、
さらに前記施錠装置が、前枠に固定される支持体と、該支持体の上端部と下端部とに各々傾動可能に支持され外枠に設けられた係合部に係合する鉤部材と、前記支持体に支持され解錠操作によって前記係合部と鉤部材の前記係合を解除するための錠部材と、前記支持体に支持され前記錠部材の解錠操作を鉤部材に伝達するための作動体と、
を有するものである遊技機において、
前記施錠装置は、
前記支持体に揺動可能に支持され、前記作動体の解錠方向への移動を妨げる規制位置と、作動体の解錠方向への移動を妨げない規制解除位置とに変位可能であり、さらに規制解除位置に向けて付勢されたロック体と、
前記ロック体に揺動可能に支持され、自由端側に形成した当接片が外枠側に向かって跳ね出すように付勢された当接体と、
前記錠部材に設けられ前記鉤部材を解錠する操作によって規制位置にあるロック体を規制解除位置に変位させ得る摺動部材と、を備え、
前記ロック体は、前枠の閉止方向の回転に伴い跳ね出た前記当接片が外枠に当たって押圧される力を受けて規制位置に変位し、且つ、規制位置にある状態で外枠との間に規制解除位置に変位し得る隙間が形成されるようになし、さらに前記錠部材の解錠操作に伴う前記摺動部材の作動で規制解除位置に変位するものである遊技機を提供する。
【００１０】
【発明の実施の形態】
以下、本発明を具体化した実施形態を図１〜図６に基づいて詳細に説明する。図６に示すように遊技機の一種であるパチンコ遊技機１１は、その外郭が縦長四角枠状をなす外枠１２により形成され、この外枠１２の前面には、四角枠状をなす前枠１３が開閉可能に支持されている。この前枠１３には、図示しない打球発射装置、球皿等のパチンコゲームを展開可能とする遊技構成部材が搭載できるとともに、前枠１３の内側には遊技盤１４が保持されるようになっている。この遊技盤１４の前面には、図示しない釘、入賞器具等の遊技構成部材が設けられ、背面にはプリント基板等の遊技構成部材が搭載されている。また、前枠１３の前面には、四角板状をなすガラス扉１５が開閉可能に支持され、パチンコ遊技機１１前面から遊技盤１４が視認可能となっている。前枠１３には縦長四角筒状の施錠装置１６が装着され前枠１３を外枠１２に施錠できるようになっている。なお、以下において上下左右は、パチンコ遊技機１１を前方から見た場合の上下左右を示すものとする。
【００１１】
図１に示すように、施錠装置１６は、亜鉛メッキ鋼板等の金属板から形成され、断面略Ｌ字状をなすとともに、上下方向に延びるように形成された支持体１７によって外郭が形成されている。この支持体１７は、縦長四角板状の背板１７ａと、背板１７ａの両側から直交方向に折り曲げ形成されている第１側板１７ｂと、第２側板１７ｃとから構成されている。第１側板１７ｂの上下端には鉤部材としての三角板状の上部鉤部１８及び下部鉤部１９が回動可能に軸支され、第１側板１７ｂの内側には縦長四角板状の作動体２０が上下動可能に設けられている。また、第２側板１７ｃの内側には縦長四角形状のロック体２１が揺動可能に設けられ、ロック体２１の下端側には細長四角形状の当接体２２が揺動可能に設けられている。
【００１２】
図２（ａ）に示すように、各鉤部１８、１９はそれらの基端側をリベットでかしめ着けされることによって、図２（ｂ）に２点鎖線で示すように水平状態から先端が下がる方向に回動できるようになっている。各鉤部１８、１９の中央には、上方に向かって開口する係合凹所２３がそれぞれ凹設され、各鉤部１８、１９の先端は端部に向かうに従って下方に傾斜するように形成されている。そして、各鉤部１８、１９が水平状態のとき、これらの係合凹所２３が、図６に示す外枠１２の右端に設けられた係合部としての一対の係合金具２４にそれぞれ係合可能に構成され、外枠１２に前枠１３が施錠されるようになっている。
【００１３】
図２（ａ）に示すように、作動体２０の上下端は各鉤部１８、１９の基端にリベットでかしめ着けされ、作動体２０の上下動に伴って各鉤部１８、１９は回動されるようになっている。作動体２０及び第１側板１７ｂの上端側には、一対の第１ばね掛止片２５が突設され、これらの第１ばね掛止片２５に第１コイルばね２６の両端が掛止されている。そして、作動体２０は支持体１７に対して上方に付勢されるようになっている。
【００１４】
図１及び図２（ａ）に示すように、作動体２０の中央側縁には作動規制片２７が背面方向に突設されている。一方、第１側板１７ｂの中央側縁には一対の支持規制片２８が右方向に延びるように折り曲げ形成されている。作動規制片２７は支持規制片２８の間に位置し、これらの支持規制片２８によって作動体２０の上下移動の距離が規制されるようになっている。そして、施錠状態では作動体２０は第１コイルばね２６の付勢力によって下限位置に維持されるとともに、各鉤部１８、１９は水平状態に維持されるようになっている。
【００１５】
図２（ａ）に示すように、ロック体２１はその基端が第２側板１７ｃの上端に第１リベット２９でかしめ着けされることによって、第２側板１７ｃに揺動可能に軸支されている。また、当接体２２はその基端がロック体２１の先端側に第２リベット３０でかしめ着けされることによって、ロック体２１に揺動可能に軸支されている。そして、第１リベット２９及び第２リベット３０の軸方向は同方向に設定され、ロック体２１及び当接体２２は先端が同方向に揺動できるようになっている。
【００１６】
図１及び図３に示すように、ロック体２１の前面先端には四角板状のロック板３１が左方向に折り曲げ形成されている。一方、第２側板１７ｃの下端側には、四角板状の回転規制板３２が左方向に折り曲げ形成され、施錠状態においてロック板３１と平行面をなすように設けられている。そして、施錠状態ではロック板３１の前面は回転規制板３２の背面に当接され、図４に示すようにロック体２１は直立するようになっている。
【００１７】
図１に示すように、作動体２０のやや上方よりの中央には四角板状の係合板３３が右方向に折り曲げ形成されている。この係合板３３の上方には図４に示す施錠状態において、ロック板３１が近接している。そして、第１コイルばね２６の付勢力に抗して作動体２０を押し上げようとした場合、係合板３３の上面はロック板３１の下面に係合し、作動体２０の上方への移動が規制されるようになっている。また、第１コイルばね２６の付勢力に抗して各鉤部１８、１９の先端側を下方に押し下げようとしても、係合板３３がロック板３１に係合するため、各鉤部１８、１９の下方への回転が規制されるようになっている。
【００１８】
当接体２２の先端には、上面横Ｌ字状の当接片３４が背面方向に延設されるとともに、先端が右方向に折り曲げ形成されている。一方、図６に示すように外枠１２の開閉自由端側には、断面Ｌ字状の外枠段部３５が縦方向に延びるように形成され、図４に示すように当接片３４の背面は、施錠状態において外枠段部３５の前面に当接するように形成されている。この施錠状態において、当接片３４はロック体２１より後方に突出するように設けられ、ロック体２１の背面と外枠段部３５の前面には隙間が形成されるようになっている。
【００１９】
図１に示すように、第２側板１７ｃの上端隅には、長四角板状の第２ばね掛止片３６が左方向に折り曲げ形成されている。一方、当接体２２の基端隅には長四角板状の第２ばね掛止片３７が左方向に折り曲げ形成され、各第２ばね掛止片３６、３７には付勢部材としての第２コイルばね３８の両端が掛止されている。この第２コイルばね３８の付勢力によって、ロック体２１は作動体２０の規制が解除される方向に付勢されている。そして、前枠１３の開放状態においてロック体２１による作動体２０の規制は解除されている。
【００２０】
第２コイルばね３８の付勢力によるロック体２１の回転は、その上端面が第２ばね掛止片３６に当接することによって、規制されている。また、当接体２２の回転は図示しない曲げ片やピン等の回転規制部材をロック体２１の第２リベット３０に近接して設けて、当接体２２の上端面が回転規制部材に当接することによって規制されている。そして、これらの回転の規制によって、前枠１３の開放状態ではロック体２１及び当接体２２の先端は斜め下方を向くとともに、ロック体２１から当接体２２の先端側が後方に跳ね出すようになっている。
【００２１】
当接片３４の前面は、前枠１３の閉止方向の回転に伴って、外枠段部３５を押圧するように構成されている。そして、当接体２２が外枠段部３５を押圧することによって生じる反力は、第２リベット３０を介してロック体２１に伝達され、施錠状態においてロック体２１は作動体２０が規制される方向に押圧される。そして、ロック体２１は作動体２０を規制した状態に維持されるようになっている。
【００２２】
ここで、第２ばね掛止片３６は第１リベット２９より後方に設けられるとともに、第２ばね掛止片３７は第２リベット３０より後方に設けられている。そして、ロック体２１及び当接体２２が付勢される力（以下、反発力という）は、ロック体２１より当接体２２の方が強く構成されている。そして、施錠状態においてロック体２１は作動体２０が規制される方向に押圧され、ロック体２１は作動体２０を規制した状態に維持されるようになっている。さらに、前枠１３を外枠１２に施錠する際、外枠段部３５による当接片３４の押圧によってロック体２１を容易に回転させることができる。
【００２３】
図１に示すように、背板１７ａの上端側には錠部材としてのシリンダ錠３９が、その基端を背板１７ａの背面に固定され、先端を背板１７ａの表面に突出した状態で背板１７ａに装着されている。シリンダ錠３９の基端側には、背面横Ｖ字状のカム板４０がカム板支持軸４１によって軸着され、シリンダ錠３９に鍵４２を挿入して回動すると、カム板４０はカム板支持軸４１を中心に鍵４２の回動方向と同一方向に回動するようになっている。カム板４０には舌片状の第１脚片４０ａがカム板４０の中央から斜め上方に向かって突設されている。また、カム板４０には舌片状の第２脚片４０ｂが、段差部分を介してカム板４０の中央から下方に向かって突設されている。この第２脚片４０ｂは第１脚片４０ａより後方に配置され、第１脚片４０ａと第２脚片４０ｂは、それらの基端において鋭角をなしている。そして、施錠状態におけるカム板４０は各脚片４０ａ、４０ｂが第１側板１７ｂに向かって開脚する方向に位置している。
【００２４】
図１に示すように、第１脚片４０ａの上面には摺動部材としての上面三角形状の摺動突片４０ｃが背面方向に折り曲げ形成されている。一方、ロック体２１の前面中央には四角板状の摺動板４３が左方向に折り曲げ形成され、この摺動板４３は施錠状態においてカム板４０と略平行面をなすとともに摺動突片４０ｃの右側に位置している。また、作動体２０の上端側には四角板状の押圧板４４が前面方向に突設され、この押圧板４４は施錠状態においてカム板４０と略垂直面をなすとともに第２脚片４０ｂの上方に位置している。図５に示すように鍵４２を前面から見て右方向に回転させると、摺動突片４０ｃの傾斜面によって摺動板４３の前面が摺動される。そして、ロック体２１の背面と外枠段部３５の前面には隙間が形成されているため、ロック体２１は後方に回転することができる。このとき、ロック板３１は係合板３３の後方に移動するようになっている。そして、係合板３３とロック板３１の係合による作動体２０の移動規制が解除される。
【００２５】
さらに、鍵４２を回転させると、第２脚片４０ｂの内側によって押圧板４４の下面が押し上げられ、作動体２０が上方に移動されるようになっている。このとき、各鉤部１８、１９の基端側が上方に回転されるとともに、各鉤部１８、１９の先端側は下方に回転される。そして、係合凹所２３と係合金具２４の係合が解除され、外枠１２に対して前枠１３が解錠されるようになっている。
【００２６】
さて、この施錠装置１６を前枠１３に装着するには、背板１７ａの外面を前枠１３の背面右端部に当接し、ねじ等で固定する。このとき、図６に示すようにシリンダ錠３９の先端は前枠１３に形成された図示しない挿通孔に挿通され、前枠１３の前面に突出されている。
【００２７】
次に、開放状態の前枠１３を外枠１２に施錠するには、前枠１３を閉止方向に回転させる。すると、各鉤部１８、１９の先端上面は、係合金具２４に摺動されるとともに、下方に押圧される。そして、各鉤部１８、１９は第１コイルばね２６の付勢力に抗して先端が下がる方向に回転するとともに、作動体２０が上方に移動する。このとき、ロック体２１は第２コイルばね３８によって作動体２０の規制を解除する方向に付勢され、ロック体２１による作動体２０の規制は解除されている。よって、解錠操作を行うことなく、開放状態の前枠１３を外枠１２に施錠することができる。
【００２８】
一方、当接片３４の背面が外枠段部３５の前面に当接し、前枠１３の回転に伴って、当接片３４は外枠段部３５に押圧される。そして、当接片３４に対する押圧力は第２リベット３０を介してロック体２１に伝達され、ロック体２１が第１リベット２９を軸として回転する。さらに、前枠１３を閉止方向に回転させると、ロック板３１の前面が係合板３３の背面に当接するとともに、当接体２２がその先端が押し下げられる方向に第２リベット３０を軸として回転する。
【００２９】
一方、各鉤部１８、１９は係合金具２４によってさらに下方に押圧され、各係合凹所２３に各係合金具２４が係合するとともに、作動体２０が第１コイルばね２６の付勢力によって下方に移動する。この作動体２０の移動に伴って、係合板３３はロック板３１の下方に移動する。このとき、第２コイルばね３８の付勢力によって当接体２２は作動体２０の規制が解除される方向に付勢されている。従って、作動体２０を規制した状態にロック体２１を維持することができる。
【００３０】
この施錠状態において、係合板３３の上方にはロック板３１が近接している。このとき、第１コイルばね２６の付勢力に抗して作動体２０を押し上げようとした場合、係合板３３の上面はロック板３１の下面に係合し、作動体２０の上方への移動が規制されるようになっている。また、第１コイルばね２６の付勢力に抗して各鉤部１８、１９の先端側を下方に押し下げようとしても、係合板３３がロック板３１に係合するため、各鉤部１８、１９の下方への回転が規制されるようになっている。
【００３１】
続いて、外枠１２から前枠１３を解錠するには、シリンダ錠３９に鍵４２を差し込み、鍵４２を前方から見て時計方向に回転させる。すると、図４に示すように、摺動突片４０ｃは摺動板４３の前面が摺動される。このとき、当接片３４はロック体２１より後方に突出するように設けられ、外枠段部３５に当接している。そして、ロック体２１の背面と外枠段部３５の前面には隙間が形成されているため、ロック体２１は後方に回転されるようになっている。そして、ロック板３１は係合板３３の後方に移動し、係合板３３とロック板３１による作動体２０の規制が解除される。
【００３２】
さらに、鍵４２を回転させると、第２脚片４０ｂの内側によって押圧板４４の下面が押し上げられ、作動体２０が上方に移動されるようになっている。このとき、各鉤部１８、１９の基端側が上方に回転されるとともに、各鉤部１８、１９の先端側は下方に回転される。そして、係合凹所２３と係合金具２４の係合が解除され、外枠１２に対して前枠１３が解錠される。
【００３３】
本実施形態によって発揮される効果について、以下に記載する。
・この実施形態の遊技機における施錠装置１６においては、支持体１７には施錠状態において作動体２０の移動を規制するロック体２１が揺動可能に支持されている。さらに、ロック体２１には、当接体２２が揺動可能に支持されている。そして、前枠１３の閉止方向の回転に伴って、当接体２２が外枠１２に押圧されることによって、ロック体２１が回転し、作動体２０の移動を規制するようになっている。このように構成した場合、パチンコ遊技機１１の上方、側面等に存在する隙間から針金等の不正部材、手等で各鉤部１８、１９及び作動体２０を操作することが困難である。従って、前枠１３を不正に解錠することが困難であるため、不正行為を抑制することができる。
【００３４】
・この実施形態の遊技機における施錠装置１６においては、当接体２２は、第２コイルばね３８の付勢力によって、ロック体２１による作動体２０の規制が解除される方向に付勢されている。そして、当接体２２は前枠１３の閉止方向の回転に伴って外枠段部３５を押圧するように構成されている。このように構成した場合、作動体２０を規制した状態にロック体２１を維持することができる。従って、パチンコ遊技機１１を振動させる等の行為によってロック体２１による作動体２０の規制が解除されることが抑制される。よって、前枠１３を不正に解錠することがより困難であるため、不正行為をより抑制することができる。
【００３５】
また、当接片３４が外枠段部３５に当接する際、当接体２２の回転がダンパーとして働き、外枠段部３５との当接位置の誤差を吸収することができる。よって、ロック体２１と作動体２０との係合及び離脱は同一姿勢で行われるようになっている。従って、外枠段部３５とロック体２１との間に寸法誤差が発生した場合でも、ロック体２１によって作動体２０を容易に規制することができ、不正行為をより抑制することができる。
【００３６】
・この実施形態の遊技機における施錠装置１６においては、当接体２２には当接片３４が設けられている。この当接片３４は施錠状態において、ロック体２１から突出するように設けられ、外枠段部３５に当接している。そして、当接片３４が外枠１２に当接した状態でロック体２１が回転できるようになっている。このように構成した場合、鉤部材が係合金具２４に係合した状態で、解錠操作によってロック体２１を回転させることができ、解錠操作によってロック体２１による作動体２０の規制を容易に解除することができる。
【００３７】
・この実施形態の遊技機における施錠装置１６においては、解錠操作によって回転するカム板４０が設けられるとともに、カム板４０には摺動突片４０ｃが設けられている。この摺動突片４０ｃは解錠操作によって摺動板４３を摺動してロック体２１を回転できるようになっている。そして、ロック体２１による作動体２０の規制は解除されるようになっている。このように構成した場合、カム板４０の回転運動をロック体２１に容易に伝達することができ、ロック体２１による作動体２０の規制を解錠操作によってより容易に解除することができる。
【００３８】
・この実施形態の遊技機における施錠装置１６においては、ロック体２１は第２コイルばね３８の付勢力によってロック体２１による作動体２０の規制が解除される方向に付勢されている。そして、前枠１３の開放状態においてロック体２１による作動体２０の規制が解除されている。このように構成した場合、解錠操作を行うことなく、開放状態の前枠１３を外枠１２に施錠することができる。
【００３９】
・この実施形態の遊技機における施錠装置１６においては、ロック体２１及び当接体２２は、第２コイルばね３８の付勢力によって作動体２０の規制が解除される方向に付勢されている。そして、当接体２２の反発力はロック体２１の反発力より強く構成されている。このように構成した場合、解錠操作を行うことなく、開放状態の前枠１３を外枠１２に施錠することができる。また、前枠１３を外枠１２に施錠する際、外枠段部３５による当接片３４の押圧によってロック体２１を容易に回転させることができる。従って、作動体２０の移動を容易に規制することができる。
【００４０】
・この実施形態の遊技機における施錠装置１６においては、第２側板１７ｃの上端隅には、第２ばね掛止片３６が形成されている。一方、当接体２２には第２ばね掛止片３７が形成され、各第２ばね掛止片３６、３７には第２コイルばね３８の両端が掛止されている。このように構成した場合、第２コイルばね３８によって当接体２２及びロック体２１を容易に付勢することができる。さらに、一つの付勢部材によって当接体２２及びロック体２１を付勢することができる。
【００４１】
なお、前記実施形態を次のように変更して具体化することも可能である。
・前記実施形態では、第１脚片４０ａには摺動部材としての摺動突片４０ｃが背面方向に折り曲げ形成されている。一方、ロック体２１には摺動板４３が左方向に折り曲げ形成されている。そして、鍵４２を前面から見て右方向に回転させると、摺動突片４０ｃの傾斜面によって摺動板４３の前面が摺動され、ロック体２１が後方に回転するようになっている。しかし、図７に示すように摺動突片４０ｃ及び摺動板４３を設けずに、ロック体２１の上端側に摺動部材として四角板状の摺動突片４５を前方に延びるように形成してもよい。この摺動突片４５の下面は、摺動突片４５の先端に向かうに従って上方に傾斜する傾斜面４５ａとなっている。また、この摺動突片４５はカム板４０と直交するよう設けられ、前枠１３の施錠状態において、傾斜面４５ａは第１脚片４０ａの上面に近接している。そして、鍵４２を前面から見て右方向に回転させると、カム板４０の回転に伴い、第１脚片４０ａの上面によって摺動突片４０ｃの傾斜面４５ａが摺動され、ロック体２１を後方に回転させることができる。このように構成しても、カム板４０の回転運動をロック体２１に容易に伝達することができ、ロック体２１による作動体２０の規制を解錠操作によってより容易に解除することができる。
【００４２】
・前記実施形態では、上部鉤部１８及び下部鉤部１９は、作動体２０と別体に設けられている。しかし、作動体２０の上下端に各鉤部１８、１９を延設して、作動体２０の上下動に伴って、各鉤部１８、１９が上下動することによって係合金具２４と係脱可能に構成してもよい。
【００４３】
・前記第２コイルばね３８の一端を当接体２２に掛止し、他端をロック体２１に掛止することによって、ロック体２１による作動体２０の規制が解除される方向に当接体２２のみが付勢されるように構成してもよい。
【００４４】
・前記作動体２０に各鉤部１８、１９を３箇所以上に設けてもよい。このように構成した場合、外枠１２に対する前枠１３の施錠をより確実にすることができ、不正行為をより抑制することができる。
【００４５】
・前記実施形態では、第１脚片４０ａに摺動突片４０ｃを設けて摺動板４３を摺動するとともに、第２脚片４０ｂによって押圧板４４を押し上げるように構成されている。しかし、摺動板４３及び押圧板４４の位置に対応させて、第２脚片４０ｂに摺動突片４０ｃを設けて摺動板４３を摺動するとともに、第１脚片４０ａによって押圧板４４を押し上げるように構成してもよい。
【００４６】
・前記実施形態では、第２側板１７ｃは背板１７ａの一側から折り曲げ形成されているが、第２側板１７ｃを別体で設けて、ビス等の締付部材によって背板１７ａに取着可能に構成してもよい。
【００４７】
・前記各コイルばね２６、３８を、板ばねやゴム等の他の付勢部材にそれぞれ変更してもよい。
・前記施錠装置１６を、パチスロ遊技機等の他の遊技機に使用してもよい。
【００４８】
次に、実施形態から把握できる技術的思想について以下に記載する。
（１）前記ロック体は、付勢部材の付勢力によってロック体による作動体の規制が解除される方向に付勢され、前枠の開放状態においてロック体による作動体の規制が解除されている請求項１から請求項４のいずれか一項に記載の遊技機における施錠装置。このように構成した場合、解錠操作を行うことなく、開放状態の前枠を外枠に施錠することができる。
【００４９】
（２）前記当接体及びロック体は、付勢部材の付勢力によってロック体による作動体の規制が解除される方向に付勢され、付勢による当接体の反発力はロック体の反発力より強く構成した請求項１から請求項４及び上記（１）に記載の遊技機における施錠装置。このように構成した場合、解錠操作を行うことなく、開放状態の前枠を外枠に施錠することができ、作動体の移動を容易に規制することができる。
【００５０】
（３）前記支持体と当接体に付勢部材の両端を取着した上記（２）に記載の遊技機における施錠装置。このように構成した場合、付勢部材によって当接体及びロック体を容易に付勢することができる。さらに、一つの付勢部材によって当接体及びロック体を付勢することができる。
【００５１】
【発明の効果】
この発明は、以上のように構成されているため、施錠装置の鉤部材を針金等の不正部材で操作して解錠しようとする不正行為を抑制することができる。
【図面の簡単な説明】
【図１】  実施形態における遊技機における施錠装置を示す分解斜視図である。
【図２】  （ａ）は施錠装置を示す右側面図、（ｂ）は左側面図である。
【図３】  施錠装置の一部を破断した部分拡大右側面図である。
【図４】  施錠状態における施錠装置の一部を破断した部分拡大右側面図である。
【図５】  解錠操作を行った状態を示す施錠装置の一部を破断した部分拡大右側面図である。
【図６】  前枠の開放状態におけるパチンコ遊技機を示す正面図である。
【図７】  別例のロック体及びカム板を示す拡大斜視図である。
【符号の説明】
１１…遊技機としてのパチンコ遊技機
１２…外枠
１３…前枠
１４…遊技盤
１６…施錠装置
１７…支持体
１８…鉤部材としての上部鉤部
１９…鉤部材としての下部鉤部
２０…作動体
２１…ロック体
２２…当接体
２４…係合部としての係合金具
３４…当接片
３８…付勢部材としての第２コイルばね
３９…錠部材としてのシリンダ錠
４０…カム板
４０ｃ…摺動部材としての摺動突片
【図１】
0004031649.tif 000002
【図２】
0004031649.tif 000003
【図３】
0004031649.tif 000004
【図４】
0004031649.tif 000005
【図５】
0004031649.tif 000006
【図６】
0004031649.tif 000007
【図７】
0004031649.tif 000008